(57)【特許請求の範囲】
【請求項１】
耕耘爪を回転して畦を切り崩して土盛りを行なう前処理部、及び、前記前処理部によって盛られた土を畦上に塗り付ける整畦部を備える畦塗り機において、
前記前処理部は高さが固定された支持フレーム部に保持され、
前記整畦部は回動連結部を介して、前記支持フレーム部に対して垂直方向に回動可能に保持されており、
前記支持フレーム部には、ユーザが視認可能に固定された目盛部、及び、支軸を介して揺動自在に保持されるとともに前記目盛部の値を示すインジケータ部材、を有する土量表示装置が設けられ、
前記インジケータ部材は、一端が、前記整畦部又は前記回動連結部に回動可能に連結されたリンク部材に連結され、他端が、指針として前記目盛部の上を移動可能とされており、
前記指針は、前記整畦部又は前記回動連結部の前記支持フレーム部に対する垂直方向の回動に基づく前記リンク部材の動作により、前記支軸を揺動の中心として、前記目盛部の上を移動することを特徴とする畦塗り機。
【請求項２】
耕耘爪を回転して畦を切り崩して土盛りを行なう前処理部、及び、前記前処理部によって盛られた土を畦上に塗り付ける整畦部を備える畦塗り機において、
前記前処理部は高さが固定された支持フレーム部に保持され、
前記整畦部は回動連結部を介して、前記支持フレーム部に対して垂直方向に回動可能に保持されており、
前記支持フレーム部には、ユーザが視認可能に固定された目盛部、及び、支軸を介して揺動自在に保持されるとともに前記目盛部の値を示すインジケータ部材、を有する土量表示装置が設けられ、
前記インジケータ部材は、一端がリンク部材を介して前記整畦部又は前記回動連結部に連結され、他端が指針として前記目盛部の上を移動可能とされており、
前記指針は、前記整畦部又は前記回動連結部の前記支持フレーム部に対する垂直方向の回動に基づく前記リンク部材の動作により、前記一端と前記他端との間に位置する前記支軸を揺動の中心として、前記目盛部の上を移動することを特徴とする畦塗り機。
【請求項３】
耕耘爪を回転して畦を切り崩して土盛りを行なう前処理部、及び、前記前処理部によって盛られた土を畦上に塗り付ける整畦部を備える畦塗り機において、
前記前処理部は高さが固定された支持フレーム部に保持され、
前記整畦部は回動連結部を介して、前記支持フレーム部に対して垂直方向に回動可能に保持されており、
前記支持フレーム部には、ユーザが視認可能に固定された目盛部、及び、支軸を介して揺動自在に保持されるとともに前記目盛部の値を示すインジケータ部材、を有する土量表示装置が設けられ、
前記インジケータ部材は、一端がリンク部材を介して前記整畦部又は前記回動連結部に連結され、他端が指針として前記目盛部の上を移動可能とされており、
前記指針は、前記整畦部又は前記回動連結部の前記支持フレーム部に対する垂直方向の回動に基づく前記リンク部材の動作により、前記支軸を揺動の中心として、前記目盛部の上を移動し、
前記支軸から前記一端までの長さは、前記支軸から前記指針までの長さよりも短いことを特徴とする畦塗り機。
【請求項４】
前記整畦部又は前記回動連結部の垂直方向の回動に基づく動きを、前記整畦部又は前記回動連結部に連結された前記リンク部材を介して前記インジケータ部材の前記一端に伝達することを特徴とする請求項１乃至３のいずれか一項に記載の畦塗り機。
【請求項５】
前記土量表示装置は、前記前処理部における土盛りの量を仮想的に視認可能とすることを特徴とする請求項１乃至４のいずれか一項に記載の畦塗り機。
【発明の詳細な説明】
【技術分野】
【０００１】
本発明は、畦を切り崩して土盛りを行なう前処理部と、前処理部によって盛られた土を畦上に塗り付ける整畦部とを備えた畦塗り機に関する。
【背景技術】
【０００２】
従来、畦塗り機による整畦作業を行う際に、整畦後の畦の仕上がり高さを調整するため、意図的に、前処理部における畦の切り崩し量及び土盛量を調節する方法が行われている。
【０００３】
具体的には、前処理部における旧畦の切り崩し及び土盛りの程度（土量）を調整するため、旧畦の上面に対する前処理部の高さを調整する方法が採り行われている。
そして、ユーザがその都度、走行機体から降車して、畦の仕上がり状態を確認しながら、畦塗り機全体の高さ位置を調整している。
【０００４】
さらに、ユーザが走行機体を乗降することの煩わしさを解消するため、畦塗り機上に前処理部と整畦部との相対高さを示す変位量表示部を設け、ユーザが走行機体に乗車しながら変位量表示部を視認して、前処理部と整畦部との相対高さを把握し、前処理部における畦の切り崩し量及び土盛量の状況を把握できる構成も知られている（特許文献１）。
【０００５】
より詳細には、変位量表示部は、上方に突出する第１要素と第２要素とが互いに摺動自在に係合して構成され、第１要素には前処理部と整畦部との相対高さを示す目盛が施され、その第１要素に対して、前処理部又は整畦部とリンクされて上下動する第２要素が摺動自在に係合して構成されており、第１要素の目盛に対する第２要素の上下方向の動きをユーザが視認して変位量を把握し、前処理部における畦の切り崩し量及び土盛量の状況を把握することとしている。
【０００６】
つまり、特許文献１に記載の構成は、前処理部と整畦部との相対高さの変化を利用し、前処理部と整畦部との相対高さが大きくなった場合には、第１要素の目盛に対して第２要素が上方に大きく摺動して、前処理部における畦の切り崩し量及び土盛量が多くなったものと把握する。
【０００７】
その反対に、前処理部と整畦部との相対高さが小さくなった場合には、第１要素の目盛に対して第２要素が下方に摺動して、前処理部における畦の切り崩し量及び土盛量が少なくなったものと把握する。
【先行技術文献】
【特許文献】
【０００８】
【特許文献１】特開２０１１−２００１５０号公報
【発明の概要】
【発明が解決しようとする課題】
【０００９】
しかしながら、第１要素の目盛に対して第２要素が上下動する変位量表示部（特許文献１）においては、第２要素の上下動の距離が、前処理部又は整畦部の上下動の距離と同じであるため、前処理部又は整畦部の上下動が小さい場合には第２要素の上下動の距離も小さくなってしまう。
このため、ユーザが走行機体に乗車したままその状況を視認しにくくなってしまい、前処理部における畦の切り崩し量及び土盛量の確実な調整が難しくなる。
【００１０】
また、第２要素が前処理部又は整畦部とリンクされ、前処理部又は整畦部が大きく上下動した際には、その分上下方向に摺動することとなり、畦塗り機に占める第２要素の移動領域（空間）を予め確保しておく必要性から、設計上の制約を生じてしまう。
【００１１】
そこで本発明は、整畦部の僅かな回動であってもユーザが視認しやすく、また、整畦部とリンクされるリンク部材の大きな動きを利用することなく、そのリンク部材の僅かな移動のみにより、前処理部における畦の切り崩し量及び土盛量を確実に把握できる畦塗り機を提供することを目的とする。
【課題を解決するための手段】
【００１２】
請求項１に記載の発明は、耕耘爪を進行方向に対して略直交する方向に回転して畦を切り崩して土盛りを行なう前処理部、及び、前記前処理部によって盛られた土を畦上に塗り付ける整畦部を備える畦塗り機において、前記前処理部は高さが固定された支持フレーム部に保持され、前記整畦部は回動連結部を介して、前記支持フレーム部に対して垂直方向に回動可能に保持されており、前記支持フレーム部には、ユーザが視認可能に固定された目盛部、及び、支軸を介して揺動自在に保持されるとともに前記目盛部の値を示すインジケータ部材、を有する土量表示装置が設けられ、前記インジケータ部材は、一端がリンク部材を介して前記整畦部又は前記回動連結部に連結され、他端が指針として前記目盛部の上を移動可能とされており、前記指針は、前記整畦部又は前記回動連結部の前記支持フレーム部に対する垂直方向の回動に基づく前記リンク部材の動作により、前記支軸を揺動の中心として、前記目盛部の上を移動することを特徴とする。
【００１３】
請求項２に記載の発明は、請求項１に記載の畦塗り機であって、前記支軸から前記一端までの長さは、前記支軸から前記指針までの長さよりも短いことを特徴とする。
【００１４】
請求項３に記載の発明は、請求項１又は請求項２のいずれかに記載の畦塗り機であって、前記リンク部材は、前記整畦部又は前記回動連結部に連結されており、前記整畦部又は前記回動連結部の垂直方向の回動に基づく動きを前記インジケータ部材の前記一端に伝達することを特徴とする。
【００１５】
請求項４に記載の発明は、耕耘爪を進行方向に対して略直交する方向に回転して畦を切り崩して土盛りを行なう前処理部、及び、前記前処理部によって盛られた土を畦上に塗り付ける整畦部を備える畦塗り機において、前記前処理部は高さが固定された支持フレーム部に保持され、前記整畦部は回動連結部を介して、前記支持フレーム部に対して垂直方向に回動可能に保持されており、前記支持フレーム部には、ユーザが視認可能に固定された目盛部、及び、支軸を介して揺動自在に保持されるとともに前記目盛部の値を示すインジケータ部材、を有して前記前処理部における土盛りの量を仮想的に視認可能とする土量表示装置が設けられ、前記インジケータ部材は、一端がリンク部材を介して前記整畦部又は前記回動連結部に連結され、他端が指針として前記目盛部の上を移動可能とされており、前記指針は、前記整畦部又は前記回動連結部の前記支持フレーム部に対する垂直方向の回動に基づく前記リンク部材の動作により、前記支軸を揺動の中心として、前記目盛部の上を移動することを特徴とする。
【発明の効果】
【００１６】
本発明によれば、リンク部材の僅かな移動、つまり、回動連結部や整畦部の僅かな移動であっても、支軸を揺動の中心としてインジケータ部材の指針が目盛部の上を大きく移動させることができ、ユーザが走行機体に乗車したまま、前処理部における畦の切り崩し及び土盛りの状況を確実に把握できる。
【００１７】
また、リンク部材の移動を僅かに抑えるとともに、インジケータ部材における目盛上の動きを大きく見せることができるため、そのリンク部材の移動領域（空間）を予め大きく確保しておくといった、設計上の制約を解消することができる。
【００１８】
そして、回動連結部や整畦部の高低の変化により、前処理部における畦の切り崩し量及び土盛り量が増減することから、目盛部の表面表示を前処理部における土処理量の増減を示す目盛として記しておくことで、ユーザは作業中において、走行機体に乗車したまま土量表示装置を視認して前処理部における土処理量の状況を改めて確認でき、畦の整畦状況を同時に確認することができる。
【図面の簡単な説明】
【００１９】
【図１】本発明を適用した畦塗り機の平面図を示す。
【図２】本発明を適用した畦塗り機が走行機体に牽引された状態の側面図を示す。
【図３】本発明を適用した畦塗り機の斜視図を示し、同図（ａ）は畦塗り機の左斜め後方から見た畦塗り機の斜視図であり、同図（ｂ）は畦塗り機の右斜め後方から見た畦塗り機の斜視図である。
【図４】本発明を適用した畦塗り機の部分断面側面図を示す。
【図５】本発明を適用した畦塗り機の部分断面平面図を示す。
【図６】本発明を適用した畦塗り機の部分断面側面図を示す。
【図７】本発明を適用した畦塗り機の部分断面側面図を示す。
【図８】本発明を適用した畦塗り機における土量表示装置の外観を示す。
【図９】本発明を適用した畦塗り機の平面図を示す。
【発明を実施するための形態】
【００２０】
以下、本発明に係る畦塗り機の好ましい実施の形態について、説明する。
ここにおいて、先ず、図１（平面図）及び図２（側面図）を参照しながら、走行機体９０に牽引される畦塗り機１の全体的な概要を説明し、説明の参考として、畦塗り機の斜視図（図３）も参照する。
【００２１】
畦塗り機１は、図１及び図２に示すように、走行機体９０の後部に設けられた三点リンク連結機構９１に連結されて、走行機体９０の前進及び後進に応じて畦塗り作業を行うものである。
【００２２】
この畦塗り機１は、走行機体９０に装着されて走行機体９０からの動力が入力される入力軸８ａを備えた装着部５と、装着部５に設けられ進行方向（図面向かって左側）に対して左右方向に回動可能に支持されたオフセット機構部１０と、オフセット機構部１０の先端側に旋回自在に配設されて入力軸８ａから伝達される動力によって作業を行なう作業部６０を有して構成される。
【００２３】
装着部５は、機体幅方向に延びるヒッチフレーム６と、ヒッチフレーム６の前方に設けられて走行機体９０の後部に設けられた三点リンク連結機構９１に連結される連結フレーム７を有して構成される。ヒッチフレーム６の幅方向の中央下部にはギアボックス８が設けられ、このギアボックス８には前述した入力軸８ａが設けられている。
【００２４】
オフセット機構部１０は、基端側（図面向かって左側）をヒッチフレーム６に回動自在に連結されて後方へ延びるオフセットフレーム１１と、オフセットフレーム１１の一側方に沿って並設されて基端側がヒッチフレーム６の一側方端に回動自在に連結されたリンク部材１３と、オフセットフレーム１１の先端側（図面向かって右側）とリンク部材１３の先端側との間に回動自在に連結された回動支持アーム１５とを有して構成される。
【００２５】
オフセットフレーム１１は、内部が中空状に形成された箱状部材であり、オフセットフレーム１１の先端側とヒッチフレーム６の一側方端との間に接続された揺動シリンダ１７の伸縮により、オフセットフレーム１１は進行方向に対して左右方向に揺動可能である。
【００２６】
リンク部材１３の先端側は、オフセットフレーム１１の先端側に回動自在に設けられた回動支持アーム１５の一側方端に回動自在に取り付けられている。
ここで、図３（ａ）を参照しながら詳細に説明すると、回動支持アーム１５は、進行方向に対して左右方向に延びる平行リンクフレーム部１５ａと、平行リンクフレーム部１５ａの基端側端部分から装着部５側へ延びるリンクアーム部１５ｂとを有してなり、リンクアーム部１５ｂの基端側がオフセットフレーム１１の先端側下部に回動自在に取り付けられている。
このように構成されたオフセット機構部１０は、オフセットフレーム１１、リンク部材１３、ヒッチフレーム６及び回動支持アーム１５によって平行リンク機構を形成している。
【００２７】
なお、揺動シリンダ１７は、電動式油圧シリンダであり、図示しない制御装置からの制御信号に応じて伸縮するようになっている。
【００２８】
ここで、伝動支持ケース６１には、図１、図３（ａ）、図３（ｂ）に示すように、その先端側には、圃場の周辺に沿って形成された旧畦の上部を切り崩す天場処理部６２と、畦を切り崩すとともに土盛りを行なう前処理部６４が配設され、伝動支持ケース６１の基端側には盛られた土を切り崩された旧畦上に塗り付ける整畦部６６が配設されている。
【００２９】
ここで、伝動支持ケース６１内には動力伝達機構が内蔵されており、その動力伝達機構は、入力軸８ａから伝達されてきた動力を受けて天場処理部６２、前処理部６４、整畦部６６に動力伝達可能に構成されている。
【００３０】
天場処理部６２は、回転自在な天場処理ロータ６２ａ（図３（ｂ）参照）を備えており、天場動力伝達ケース６３を介して、伝動支持ケース６１からの動力が天場処理ロータ６２ａに伝達されるようになっている。
【００３１】
また、天場処理部６２は、天場動力伝達ケース６３を介して、前処理部６４の先端部に連結されており、さらに、支持フレーム６５によって支持されている。
【００３２】
ここで、前処理部６４は、回転自在な耕耘爪６４ａ（図２参照）を備えている。耕耘爪６４ａは伝動支持ケース６１内の動力伝達機構を介して動力が伝達され、伝動支持ケース６１に連結されるとともに、支持フレーム６５によって支持されている。
【００３３】
また、整畦部６６は、伝動支持ケース６１に対して回動可能に連結された回動連結部６７において、回転自在に支持された略円錐形状の法面整畦部２０と、法面整畦部２０の頂部に取り付けられて畦方向に延びる上面整畦部３０とを構成している。
【００３４】
次に、畦塗り機１の詳細な構成について、部分側面図である図４を用いて説明する。
ここで、オフセットフレーム１１の先端側下部には、そのオフセットフレーム１１に対して回動自在に、円筒状の連結部１８が取り付けられている。
そして、連結部１８の下部には、連結底部６９を経由して作業部６０の一部である伝動支持ケース６１の基端部が接続され、連結部１８の上部には、作業部６０の一部である支持フレーム６５が固定されており、作業部６０は、図中の回動支点Ｏを回動の中心として回動可能である。
【００３５】
つまり、連結部１８、伝動支持ケース６１及び支持フレーム６５等で構成される支持フレーム部８０は、回動支点Ｏを中心として回動可能であるものの、高さ方向については固定されている。そして、支持フレーム部８０の先端には、前処理部６４が保持されており、その前処理部６４についても高さ方向が固定されている。
【００３６】
ここにおいて、本実施形態においては、畦塗り機１の構成のうち、回動支点Ｏを回動の中心軸として回動することが可能な部位であって、伝動支持ケース６１及び支持フレーム６５を含み、その先端部側に配設される天場処理部６２、前処理部６４、整畦部６６の構成を、作業部６０として定義し、説明する。
【００３７】
次に、回動連結部６７及び連結底部６９の構成について、部分平面図である図５を用いて説明する。
ここで、回動連結部６７は、各種ギヤや動力伝達軸を介して連結底部６９と連結されるとともに、図中の回動支点Ｐを中心として、連結底部６９に対して回動可能に装着されている。
【００３８】
ここにおいて、そもそも圃場における畦塗り機１の高さは、整畦部６６の法面整畦部２０の最下端を畦塗り機１における最下端として、その最下端を圃場の底面に当接して決まることとなり、つまり、畦塗り機１における支持フレーム部８０に対して整畦部６６の高さを変化させることで、圃場における畦塗り機１（支持フレーム部８０）の高さも変化することとなる。
【００３９】
そして、整畦部６６を回動支点Ｐを中心として回動し、支持フレーム部８０に対して当初より高い位置にすると、圃場における畦塗り機１（支持フレーム部８０）の高さは当初よりも低くなり、支持フレーム部８０に固定されている前処理部６４も低い位置になるため、相対的に前処理部６４が下方へ下がった状態となり、その前処理部６４における畦の切り崩し量及び土盛量が多くなる。
【００４０】
反対に、整畦部６６を回動支点Ｐを中心として回動し、支持フレーム部８０に対して当初より低い位置にすると、圃場における畦塗り機１（支持フレーム部８０）の高さは当初よりも高くなり、支持フレーム部８０に固定されている前処理部６４も高い位置になるため、相対的に前処理部６４が上方へ上がった状態となり、その前処理部６４における畦の切り崩し量及び土盛量は少なくなる。
【００４１】
ここで、図４に示す通り、本実施形態における回動連結部６７は、点Ｐを中心として図中矢印Ｘ又はＹの方向に回動可能となっており、例えば、回動連結部６７を図中矢印Ｘの方向に回動させておくこと、つまり、整畦部６６を当初より高い位置に移動させておくことで、前処理部６４における畦の切り崩し量及び土盛量が多くなる。
【００４２】
その一方、回動連結部６７を図中矢印Ｙの方向に回動させておくこと、つまり、整畦部６６を当初より低い位置に移動させておくことで、前処理部６４における畦の切り崩し量及び土盛量が少なくなる。
【００４３】
つまり、本実施形態においては、高さが固定されている支持フレーム部８０に対して、整畦部６６及び回動連結部６７が垂直方向に回動可能に設けられており、その一方で、前処理部６４が支持フレーム部８０に保持されて、高さ方向が固定されている。
【００４４】
次に、本発明の特徴的な構成である土量表示装置７０について、図６を用いて説明する。
土量表示装置７０は、図６に示す通り、高さが固定された支持フレーム６５の上部に固定されており、前処理部６４における畦の切り崩し量及び土盛量の多さを示す目盛部７１と、支軸７３を中心として揺動可能に保持されているインジケータ部材７２とから構成されている。
【００４５】
インジケータ部材７２は、リンク部材７４を介して一端７２ａが回動連結部６７の一部であるリンク連結部７５に連結され、他端が指針７２ｂとして目盛部７１の上方を移動可能とされている。
【００４６】
ここで、図６に示す指針７２ｂの位置は、前処理部６４における畦の切り崩し量及び土盛量が少ない状態を示しており、図６に示す通り、回動連結部６７が図４にて示した図中矢印Ｙの方向に回動し、整畦部６６が低い位置に回動している状態を示している。
【００４７】
このため、リンク部材７４、回動連結部６７及びインジケータ部材７２の連動によって、インジケータ部材７２の指針７２ｂが、目盛部７１上において下側に揺動し、ユーザは前処理部６４における畦の切り崩し量及び土盛量が少ない状態であることを把握することができる。
【００４８】
次に、前処理部６４における畦の切り崩し量及び土盛量が多い状態について、図７を参照しながら説明する。
この場合、図７に示す通り、回動連結部６７は図４にて示した図中矢印Ｘの方向に回動し、整畦部６６が高い位置に回動していることが見て取れる。
【００４９】
そして、リンク部材７４、回動連結部６７及びインジケータ部材７２の連動によって、インジケータ部材７２の指針７２ｂが、目盛部７１上において上側に揺動し、ユーザは前処理部６４における畦の切り崩し量及び土盛量が多い状態であることを把握することができる。
【００５０】
ここで、土量表示装置７０の詳細な構成について、図８を参照しながら説明する。
図８は、走行機体９０に乗車中のユーザが、走行機体９０側から、支持フレーム６５の上部に固定されている土量表示装置７０を視認したときの外観を示している。
【００５１】
目盛部７１の表面には、下側から上側に向かうに従い、前処理部６４における畦の切り崩し量及び土盛量が徐々に多くなっていくゲージ状の目盛が視覚的に施されている。そして、目盛部７１の周囲において、インジケータ部材７２の指針７２ｂが移動可能に保持されている。
【００５２】
また、インジケータ部材７２は、支軸７３を揺動の中心として保持され、一端７２ａがリンク部材７４に連結されており、先述した回動連結部６７の回動に基づくリンク部材７４の動作により、支軸７３を中心として揺動し、その結果、指針７２ｂが目盛部７１の周囲を移動することとなる。
【００５３】
ここにおいて、本実施形態においては、インジケータ部材７２の寸法上、支軸７３から一端７２ａまでの距離が、支軸７３から指針７２ｂまでの距離よりも短い構成となっている。このため、回動連結部６７の回動が小さい場合であっても、目盛部７１の周囲における指針７２ｂの移動距離を視覚的に大きく見せることができる。
【００５４】
つまり、回動連結部６７の僅かな回動であっても、支軸７３を揺動の中心としてインジケータ部材７０の指針７２ｂが目盛部７１の上を大きく移動することができ、ユーザが走行機体９０に乗車したまま、前処理部６４における畦の切り崩し及び土盛りの状況を確実に視認することができる。
【００５５】
このため、回動連結部６７の僅かな回動の状況を、インジケータ部材７０の一端７２ａの僅かな移動に起因する動作に変換できれば良いため、そのリンク部材の移動領域（空間）を予め大きく確保しておくといった、設計上の制約を解消することができる。
【００５６】
ここで、畦塗り機１による整畦作業中において、ユーザが走行機体９０に乗車しながら、土量表示装置７０を視認する状況の一例として、図９を用いて説明する。
ここにおいて図９は、説明の便宜上、畦塗り機１の構成を部分的に省略したものであり、畦塗り機１を牽引する走行機体９０側から見た外観を示している。
【００５７】
図９に示す通り、本実施形態においては、土量表示装置７０は支持フレーム６５上において、支持フレーム６５の延びる方向に対して所定の角度傾けて固定されており、作業部６０が畦側に移動して斜めになった場合でも、走行機体９０から視認できるようになっている。
つまりユーザは、畦塗り機１の畦側への寄り具合の状況に左右されず、土量表示装置７０を視認できることとなる。
【００５８】
以上から、本発明に係る構成により、リンク部材７４の僅かな移動、つまり、回動連結部６７の僅かな回動であっても、支軸７３を揺動の中心としてインジケータ部材７２の指針７２ｂが目盛部７１の上を大きく移動し、その結果、視覚的に大きく見せることができ、ユーザが走行機体９０に乗車したまま、前処理部６４における畦の切り崩し及び土盛りの状況を確実に把握できる。
【００５９】
また、リンク部材７４の移動を僅かに抑えるとともに、インジケータ部材７２における目盛部７１上の動きを大きく見せることができるため、そのリンク部材７４の移動領域（空間）を予め大きく確保しておくといった、設計上の制約を解消することができる。
【００６０】
なお、本実施形態においては、図６に示した通り、リンク部材７４を回動連結部６７に連結することで、当該回動連結部６７の回動動作をインジケータ部材７２の指針７２ｂにおける動作として伝達しているものの、リンク部材７４を整畦部６６に連結した構成としてもよく、支持フレーム６５に対する垂直方向の回動動作を活かすことができるかぎり、リンク部材７４の連結箇所を問うものではない。
【符号の説明】
【００６１】
１      畦塗り機
６４    前処理部
６５    支持フレーム
６６    整畦部
６７    回動連結部
７１    目盛部
７２    インジケータ部材
７２ａ  一端
７２ｂ  指針
７３    支軸
８０    支持フレーム部
【図１】
0005980563.tif 000002
【図２】
0005980563.tif 000003
【図３】
0005980563.tif 000004
【図４】
0005980563.tif 000005
【図５】
0005980563.tif 000006
【図６】
0005980563.tif 000007
【図７】
0005980563.tif 000008
【図８】
0005980563.tif 000009
【図９】
0005980563.tif 000010